(57)【要約】【課題】簡単かつ低コストにて、カメラが水中に水没されていることを検知できる構成を具備するカメラを提供する。【解決手段】外装部材９と、外装部材９に設けられた開口７と、開口７を液密に塞ぐ可撓性を有するスピーカシート８と、開口７に対向して外装部材９内に設けられたスピーカ１６と、スピーカシート８とスピーカ１６との間に設けられた検出切片１２と、を具備し、検出切片１２は、水中において外装部材９内へ水圧によって押圧されて撓んだスピーカシート８により変位され、スピーカ１６に接触することを特徴とする。【選択図】図２
2009253540.tif 000002
【特許請求の範囲】
【請求項１】
水中において使用できるカメラであって、
外装部材と、
上記外装部材に設けられた開口と、
上記開口を液密に塞ぐ可撓性を有する防水シートと、
上記開口に対向して上記外装部材内に設けられた内容物と、
上記防水シートと上記内容物との間に設けられたスイッチ片と、
を具備し、
上記スイッチ片は、水中において上記外装部材内へ水圧によって押圧されて撓んだ上記防水シートにより変位され、上記内容物に接触することを特徴とするカメラ。
【請求項２】
上記スイッチ片は、金属材料の薄板から構成されていることを特徴とする請求項１に記載のカメラ。
【請求項３】
上記内容物は、上記スイッチ片が接触する外表面が金属材料から構成されていることを特徴とする請求項１または２に記載のカメラ。
【請求項４】
上記内容物はスピーカであり、上記スイッチ片の上記スピーカに平面視した状態で重畳する位置に、上記スピーカからの音を通過させる孔が設けられていることを特徴とする請求項１〜３のいずれか１項に記載のカメラ。
【請求項５】
上記防水シートは、膜状に形成されたゴム状シート部材から構成されていることを特徴とする請求項１〜４のいずれか１項に記載のカメラ。
【請求項６】
上記スイッチ片から延出された第１のリード線と、上記内容物から延出された第２のリード線とが電気的に接続された制御部を具備し、
上記制御部は、上記スイッチ片が上記内容物に接触した際、上記第１のリード線と上記第２のリード線との導通を検出して、カメラ本体が水中に水没されていることを検出することを特徴とする請求項３〜５のいずれか１項に記載のカメラ。
【請求項７】
上記制御部は、上記カメラ本体が水中に水没されていることを検出した際、水没している時間を計時し始める制御を行うことを特徴とする請求項６に記載のカメラ。
【請求項８】
上記制御部は、上記カメラ本体が水中に水没されていることを検出した際、水中に上記カメラ本体が水没されている旨をモニタに表示する制御を行うことを特徴とする請求項６または７に記載のカメラ。
【請求項９】
上記制御部は、上記カメラ本体が水中に水没されていることを検出した際、入水開始時刻、水没回数を記憶部に記憶するとともにモニタに入水開始時刻、水没時間を表示する制御を行うことを特徴とする請求項７または８に記載のカメラ。
【請求項１０】
上記制御部は、上記カメラ本体が水中に水没されていることを検出した際、水中用ホワイトバランスを調整し、また水中に合ったＩＳＯ感度を設定するとともに、水中に合ったモニタの輝度に設定する制御を行うことを特徴とする請求項６〜９のいずれか１項に記載のカメラ。
【請求項１１】
上記制御部は、上記カメラ本体が水没している計時した時間が設定時間に達した際、モニタに警告表示を行うことを特徴とする請求項７〜１０のいずれか１項に記載のカメラ。
【発明の詳細な説明】
【技術分野】
【０００１】
本発明は、水中において使用できるカメラに関する。
【背景技術】
【０００２】
水密構造を有することにより、水中や悪天候下においても使用できるカメラが周知であり、広く普及している。
【０００３】
ここで、カメラを用いて水中で撮影を行う場合、陸上で撮影を行う場合に比べて撮影環境が暗くなることから、操作者は、水中で撮影を行う場合には、ホワイトバランスを調整したり、カメラがデジタルカメラの場合、撮像素子の露光量を調整したりする等、各種撮影条件を変更しなければならず大変煩雑であるといった問題があった。
【０００４】
このような問題に鑑み、特許文献１には、カメラが具備する電気回路において、ＣＰＵが、カメラの筐体の一部または全部が水没しているか否かをスピーカから発せられたビープ音の波動の伝播特性に基づいて判別し、該判別結果に基づいて、ホワイトバランス及び撮像素子の露光量、ＩＳＯ感度等の各種撮影条件を自動的に調整するカメラが開示されている。
【特許文献１】特開２００７−２１４８５２号公報
【発明の開示】
【発明が解決しようとする課題】
【０００５】
しかしながら、特許文献１に開示されたカメラにおいては、スピーカから発せられたビープ音の波動の伝播特性を判別したり、該判別結果に基づいて各種撮影条件を調整したりする電気回路が複雑になることから、即ち、従来よりも電気部品の点数が増えることから、製造コストが増大してしまうといった問題があった。
【０００６】
また、カメラが水中に水没していることを検知することに付随して、撮影条件を自動的に調整する以外の機能が要求される事情にある。具体的には、水密構造を有するカメラであっても、カメラを水中に水没できる時間は規定されていることから、カメラが何回水没されたか、また、カメラが水没してからどれくらい時間が経過したかを記憶することができるとともに、操作者に水没時間、水没回数を告知することができる機能が望まれていた。さらには、上述したように、水中においては、陸上よりも撮影環境が暗くなることから、カメラが有するモニタの輝度も自動的に明るく調整できる機能も望まれていた。
【０００７】
本発明は、上記問題点及び事情に鑑みてなされたものであり、簡単かつ低コストにて、カメラが水中に水没されていることを検知できる構成を具備するカメラを提供することを目的とする。
【課題を解決するための手段】
【０００８】
上記目的を達成するため本発明によるカメラは、水中において使用できるカメラであって、外装部材と、上記外装部材に設けられた開口と、上記開口を液密に塞ぐ可撓性を有する防水シートと、上記開口に対向して上記外装部材内に設けられた内容物と、上記防水シートと上記内容物との間に設けられたスイッチ片と、を具備し、上記スイッチ片は、水中において上記外装部材内へ水圧によって押圧されて撓んだ上記防水シートにより変位され、上記内容物に接触することを特徴とする。
【発明の効果】
【０００９】
本発明によれば、簡単かつ低コストにて、カメラが水中に水没されていることを検知できる構成を具備するカメラを提供することができる。
【発明を実施するための最良の形態】
【００１０】
以下、図面を参照して本発明の実施の形態を説明する。  
図１は、本実施の形態を示すカメラの外観を概略的に示す斜視図、図２は、図１中のII-II線に沿うカメラの部分断面図、図３は、図２の各リード線が電気的に接続される基板を示す部分平面図である。
【００１１】
また、図４は、図２のスピーカシートが水圧による撓みにより検出切片を変位させて検出切片をスピーカケーシングに接触させた状態を示す部分断面図、図５は、図２の検出切片及びスピーカをVの方向からみた平面図、図６は、図１のカメラに設けられたモニタの表示例を示す図である。
【００１２】
図１に示すように、カメラ本体を構成するカメラ１の前面１ｍに、被写体からの光を集光する対物レンズ窓２と、被写体に対して照明光を照射するストロボ窓３とが設けられており、カメラ１の背面１ｈに、対物レンズ窓２を介して撮像した撮像画像５０（図６参照）を表示するモニタ２３が設けられている。
【００１３】
モニタ２３には、図６に示すように、撮像画像５０の他、カメラ１が水中に水没している際は、その旨を操作者に告知するアイコン２７や、図示しない水深計によって計測された水深を表示するアイコン２４や、水没開始時刻を表示するアイコン２８や、水没している時間を表示するアイコン２５や、設定時間以上カメラ１が水中に水没している旨を警告するアイコン２６等が表示される。
【００１４】
また、カメラ１の上面１ｊに、カメラ１の電源をオンにするパワー釦４と、被写体の撮像を指示するレリーズ釦５とが設けられている。さらに、カメラ１の側面１ｓに、カメラ１を用いて動画を撮影しているときの音やカメラ１に設けられたパワー釦４、レリーズ釦５等の各種釦の操作音等を操作者に告知するスピーカ部６が設けられている。
【００１５】
カメラ１の筐体は、図２に示すように、例えばプラスチックから構成された外装部材９と、カメラ１の外観を向上させるために外装部材９の外周に被覆された、例えばステンレス等から構成された金属外装１０とから主要部が構成されている。
【００１６】
また、カメラ１のスピーカ部６においては、金属外装１０に、後述するスピーカ本体１５ａから発せられた音を通過させる複数の孔１０ｈが形成されているとともに、外装部材９にも、スピーカ本体１５ａから発せられた音を通過させる開口７が形成されている。尚、開口７は、外装部材９に設けられた段部９ｋが形成されている。
【００１７】
外装部材９の段部９ｋにおいて、金属外装１０側の面に、開口７を液密に塞ぐ防水部材としての可撓性を有する防水シートであるスピーカシート８が、例えば接着剤１１により固定されている。スピーカシート８は、膜状に形成されたシリコンゴム等のゴム状のシート部材から構成されている。また、スピーカシート８は、通常、外装部材９の内部に液体が進入してしまうのを防ぐよう機能する。
【００１８】
また、スピーカ部６における外装部材９の内部において、開口７に対向する位置に、図２、図５に示すように、平面視した形状が略円形の内容物であるスピーカ１６を構成するスピーカ本体１５ａが、該スピーカ本体１５ａを保持するスピーカ押さえ１８が外装部材９にネジ１９で固定されることにより設けられている。
【００１９】
スピーカ本体１５ａの外表面に、スピーカ１６を構成する金属材料から構成されたスピーカケーシング１５ｂが被覆されており、スピーカケーシング１５ｂの外装部材９側の面（以下、前面と称す）に、図５に示すように、スピーカ本体１５ａから発せられた音を通過させる用の複数の孔１５ｂｈが形成されている。また、図２に示すように、スピーカケーシング１５ｂの前面の一部は、外装部材９の開口７の周縁の一部からスピーカ本体１５ａ側に突出した突出部９ｔに当接している。
【００２０】
さらに、スピーカケーシング１５ｂのスピーカ押さえ１８側の面（以下、背面と称す）に、図２、図５に示すように、スピーカケーシング１５ｂの外形と略等しい、金属材料から平板状に構成されたリング状のスピーカアース１７の前面が当接している。このことにより、スピーカケーシング１５ｂとスピーカアース１７とは導通する。
【００２１】
また、スピーカアース１７に、第２のリード線２０の一端側が電気的に接続されている。第２のリード線２０の他端は、図３に示すように、カメラ１の内部に設けられたメイン基板２２の後述する検出回路１０１（図７参照）の端子に、半田２１によって電気的に接続されている。尚、スピーカケーシング１５ｂは、スピーカアース１７を介してＧＮＤに接続されている。
【００２２】
また、スピーカアース１７の背面が、クランク状に形成されたスピーカ押さえ１８の前面に固定されている。
【００２３】
また、外装部材９の背面に、スイッチ片である検出切片１２が、スピーカシート８とスピーカ１６との間に位置するよう、即ち、平面視した状態でスピーカ１６に重なるよう、ネジ１４によって固定されている。電気的導通部材である検出切片１２は、薄板の金属材料から構成されている。
【００２４】
また、図５に示すように、検出切片１２のスピーカケーシング１５ｂの孔１５ｂｈに平面視した状態で重なる部位に、スピーカ本体１５ａから発せられた音を通過させる孔である切り欠き１２ｈが形成されている。
【００２５】
また、検出切片１２に、第１のリード線１３の一端側が電気的に接続されている。第１のリード線１３の他端は、図３に示すように、カメラ１の内部に設けられたメイン基板２２の後述する検出回路１０１（図７参照）の端子に、半田２１によって電気的に接続されている。
【００２６】
検出切片１２は、カメラ１が水中に水没された際、図４に示すように、外装部材９内へ水圧によって押圧されて撓んだスピーカシート８により変位され、スピーカケーシング１５ｂに接触するようになっている。このことによって、第１のリード線１３と第２のリード線２０とが電気的に導通することにより、メイン基板２２に設けられた後述する制御部１００（図７参照）は、カメラ１が水中に水没していることを検出する。
【００２７】
次に、このような構成を有するカメラ１の電気回路の構成を、図７を用いて示す。図７は、図１のカメラにおける水没検知のための電気回路の構成の概略を示すブロック図である。
【００２８】
図７に示すように、カメラ１は、内部に、上述したメイン基板２２を有しており、メイン基板２２は、検出回路１０１と、制御部であるＣＰＵ１００と、記憶部であるメモリ１０２と、撮影パラメータ設定部１０３と、液晶バックライト調整部１０４とを具備している。尚、メモリ１０２は、メイン基板２２に設けられてなくともよい。即ち、メイン基板２２に対して着脱自在な外部メモリであっても構わない。
【００２９】
検出回路１０１は、上述した検出切片１２に対し、第１のリード線１３を介して電気的に接続されているとともに、上述したスピーカケーシング１５ｂに対し、第２のリード線２０を介して電気的に接続されている。また、検出回路１０１は、ＣＰＵ１００に電気的に接続されている。
【００３０】
検出回路１０１は、検出切片１２がスピーカケーシング１５ｂに接触した旨を検出し、該検出信号、即ち、カメラ１が水中に水没した旨の信号を、ＣＰＵ１００に送信するものである。
【００３１】
尚、検出回路１０１が、検出切片１２がスピーカケーシング１５ｂに接触した旨を検出できるのは、スピーカケーシング１５ｂは、上述したようにＧＮＤに接続されているためである。よって、検出回路１０１は、検出切片１２がスピーカケーシング１５ｂに接触した旨を、接触している場合はオン、接触していない場合はオフと検知することにより電気的に検出できる。
【００３２】
ＣＰＵ１００は、メモリ１０２と、撮影パラメータ設定部１０３と、液晶バックライト調整部１０４と、モニタ２３とに電気的に接続されている。
【００３３】
ＣＰＵ１００は、検出回路１０１からカメラ１が水中に水没した旨の信号が送信された際、水没している時間を計時し始める制御を行うとともに、入水開始時刻、水没回数をメモリ１０２に記憶する制御を行う。加えて、ＣＰＵ１００は、モニタ２３に、図６に示すように、カメラ１が水中に水没している旨を操作者に告知するアイコン２７や、図示しない水深計によって計測された水深を表示するアイコン２４や、水没開始時刻を表示するアイコン２８や、水没している計時時間を表示するアイコン２５や、設定時間以上カメラ１が水中に水没している旨を警告するアイコン２６等を表示する制御を行う。
【００３４】
また、ＣＰＵ１００は、検出回路１０１からカメラ１が水中に水没した旨の信号が送信された際、水中用のホワイトバランスの調整や水中に合ったＩＳＯ感度を設定する制御を行う。
【００３５】
即ち、ＣＰＵ１００は、撮影パラメータ設定部１０３に、水中用のホワイトバランスの調整や水中に合ったＩＳＯ感度を設定する信号を送信する制御を行う。該信号を受けて、撮影パラメータ設定部１０３は、水中用のホワイトバランスの調整や水中に合ったＩＳＯ感度を設定する。
【００３６】
さらに、ＣＰＵ１００は、検出回路１０１からカメラ１が水中に水没した旨の信号が送信された際、水中の明るさに合ったモニタ２３の輝度に設定する制御を行う。即ち、液晶バックライト調整部１０４に、水中の明るさに合ったモニタ２３の輝度を設定する信号を送信する制御を行う。該信号を受けて、液晶バックライト調整部１０４は、水中の明るさに合ったモニタ２３の輝度を設定する。
【００３７】
尚、ＣＰＵ１００は、その他、カメラ１の撮像動作に関する各種制御等を行うが、該各種制御は周知であるため、その説明は省略する。
【００３８】
次に、このように構成されたカメラ１の作用について、具体的には、ＣＰＵ１００によるカメラ１の水没検知方法及び検知後の制御方法について、図８を用いて説明する。図８は、図７のＣＰＵによるカメラの水没検知方法及び検知後の制御方法を示すサブルーチンであるフローチャートである。
【００３９】
ＣＰＵ１００は、カメラ１の動作における各種メインフローを実行中において、必要に応じて水没検知サブルーチンに移行する。
【００４０】
ＣＰＵ１００は、水没検知サブルーチンにおいて、先ずステップＳ１において、検出回路１０１を制御して、カメラ１が水中に水没されているか否かを判定する。具体的には、図４に示すように、カメラ１が水没されている場合においては、水圧によって、外装部材９内へ押圧されて撓んだスピーカシート８により検出切片１２が変位され、該検出切片１２がスピーカケーシング１５ｂに接触することにより、検出回路１０１により第１のリード線１３と第２のリード線２０との導通が検出されることから、検出切片１２がスピーカケーシング１５ｂに接触しているか否かにより、ＣＰＵ１００は、カメラ１が水中に水没されているか否かを判定する。
【００４１】
カメラ１が水中にないと検出されれば、ステップＳ１０にジャンプして水没検知サブルーチンを終了して、カメラ動作のメインルーチンにリターンする。カメラ１が水中にあると検出されれば、ステップＳ２に移行する。
【００４２】
ステップＳ２では、ＣＰＵ１００は、カメラ１がパワー釦４によって電源を入れられたときの初期設定において０であった計時フラグをモニタして、計時フラグが１であるか否かを判定する。
【００４３】
計時フラグが１であれば、ＣＰＵ１００は、カメラ１は、既に水中に水没されていると判定し、水没開始からの時間計時は、既に開始されていると判定して、ステップＳ５にジャンプする。
【００４４】
計時フラグが０であれば、ステップＳ３に移行し、ＣＰＵ１００は、水没している時間を計時し始める制御を行うとともに、続くステップＳ４において、ＣＰＵ１００は、計時フラグを１にセットして、計時が開始されている状態をモニタ可能にしておき、ステップＳ５に移行する。
【００４５】
ステップＳ５では、ＣＰＵ１００は、モニタ２３に、カメラ１が水中に水没している旨を操作者に告知するアイコン２７を表示する制御を行う。
【００４６】
続くステップＳ６では、ＣＰＵ１００は、図６に示すように、入水時刻である水没開始時刻のアイコン２８をモニタ２３に表示するとともに、入水継続時間である水没している計時時間を表示するアイコン２５をモニタ２３に表示する。また、ＣＰＵ１００は、図示しない水深計を用いて、モニタ２３に、水深を表示するアイコン２４を表示する。さらに、ＣＰＵ１００は、水没開始時刻や、入水回数である水没回数をメモリ１０２に記憶する制御を行う。
【００４７】
続くステップＳ７では、ＣＰＵ１００は、撮影パラメータ設定部１０３を制御することにより、水中用ホワイトバランスを自動調整するとともに、ＩＳＯ感度を自動設定する。さらには、ＣＰＵ１００は、液晶バックライト調整部１０４を制御することにより、モニタ２３の輝度を水中の明るさにあった輝度に設定する。その後、ステップＳ８に移行する。
【００４８】
ステップＳ８では、ＣＰＵ１００は、カメラ１が水没している計時時間が設定時間、例えば１時間に達したか否かを判定する。計時時間が設定時間に達していなければ、ステップＳ１０に移行して、水没検知サブルーチンを終了して、カメラ動作のメインルーチンにリターンする。
【００４９】
計時時間が設定時間に達しておれば、ステップＳ９に分岐して、ＣＰＵ１００は、モニタ２３に、設定時間以上カメラ１が水中に水没している旨を警告するアイコン２６を表示して、その後、ステップＳ１０にて、水没検知サブルーチンを終了して、カメラ動作のメインルーチンにリターンする。
【００５０】
このように、本実施の形態においては、カメラ１のスピーカ部６において、外装部材９に開口７が設けられているとともに、開口７を水密的に塞ぐ可撓性を有するスピーカシート８が設けられており、スピーカ１６とスピーカシート８との間に、薄板の金属材料から構成された検出切片１２が設けられていると示した。
【００５１】
また、カメラ１が水中に水没した際、水圧によって、外装部材９内へ押圧されて撓んだスピーカシート８により検出切片１２が変位され、該検出切片１２が金属材料から構成されたスピーカケーシング１５ｂに接触することによって、検出回路１０１によって第１のリード線１３と第２のリード線２０との導通が検出されることにより、検出切片１２がスピーカケーシング１５ｂに接触しているか否かにより、ＣＰＵ１００によって、カメラ１が水中に水没されているか否かが判定されると示した。
【００５２】
このことによれば、ＣＰＵ１００は、検出切片１２とスピーカケーシング１５ｂとの接触を検出するのみで、カメラ１が水中に水没しているか否かを検出することができることから、簡単かつ低コストにて、カメラ１が水中に水没されていることを検知できる構成を具備するカメラ１を提供することができる
また、カメラ１が水没しているか否かの検知を、従来のスピーカ部６の構成に検出切片１２を追加した構成のみで行うことができることから、別途、検知機構をカメラ１に設ける必要がないため、省スペースにて、カメラ１が水没しているか否かの検知を行うことができる構成を具備するカメラ１を提供することができる。
【００５３】
また、本実施の形態においては、ＣＰＵ１００は、カメラ１が水中に水没されていることを検出した際、水没している時間を計時し始める制御を行うとともに、水中にカメラ１が水没されている旨のアイコン２７をモニタ２３に表示する制御を行うと示した。
【００５４】
さらに、本実施の形態においては、ＣＰＵ１００は、カメラ１が水中に水没されていることを検出した際、入水開始時刻、水没回数をメモリ１０２に記憶するとともにモニタ２３に入水開始時刻を示すアイコン２８、水没時間を示すアイコン２５を表示する制御を行うと示した。
【００５５】
また、本実施の形態においては、ＣＰＵ１００は、カメラ１が水中に水没されていることを検出した際、水中用ホワイトバランスを調整し、また水中に合ったＩＳＯ感度を設定するとともに、水中に合ったモニタ２３の輝度に設定する制御を行うと示した。さらに、本実施の形態においては、ＣＰＵ１００は、カメラ１が水中に水没している計時時間が設定時間に達した際、モニタ２３に警告のアイコン２６を表示すると示した。
【００５６】
このことによれば、操作者は、モニタ２３からカメラ１が水中に水没していることを容易に認識できるばかりか、水没時間を認識することができることから、例えば、海中で使用している場合、アイコン２５から読み取った時間から操作者のアクアラング中の空気があとどれくらい使用できるかを認識することができる他、アイコン２６から設定時間以上水没していることを容易に認識できることから、カメラ１を設定時間以上水没させて壊してしまうことがない。
【００５７】
また、ＣＰＵ１００は、自動的に水中用ホワイトバランスを調整し、また水中に合ったＩＳＯ感度を設定するとともに、水中に合ったモニタ２３の輝度に設定することから、操作者は、水中の撮影状況に適した画像を撮像することができる。
【００５８】
尚、以下、変形例を示す。本実施の形態においては、カメラ１が水中に水没した際、水圧によって、外装部材９内へ押圧されて撓んだスピーカシート８により検出切片１２が変位され、該検出切片１２が金属材料から構成されたスピーカケーシング１５ｂに接触することにより、カメラ１が水中に水没されているか否かが検出されると示したが、この際、スピーカシート８の厚みを調整する、または検出切片１２の力量を調整する、例えば検出切片１２の厚みを調整することにより、水没を検知するタイミングを可変しても構わないことは勿論である。即ち、水没したカメラ１の水深に応じて、水没検知を行っても構わない。
【００５９】
また、カメラ１が水没しているか否かの検知を、スピーカ部６を用いて行うと示したが、これに限らず、カメラ１が具備する図示しないマイク部を利用して行っても構わない。即ち、外装部材９に開口が形成されている位置であれば、カメラ１が具備する金属材料から構成された他の内容物を用いて、水圧によるシート状部材の押圧に伴う検出切片と内容物との接触を検出しても本実施の形態と同様の効果を得ることができる。
【００６０】
さらには、カメラ１の内部に十分なスペースを有しておれば、スピーカ部６、マイク部とは別に、検出切片と、検出切片を水圧によって押圧するシート状部材と、検出切片が接触する金属材料からなる内容物とから構成された検知機構を設けて、水没検知を行ってもよいことは云うまでもない。
【００６１】
また、本実施の形態においては、カメラの水没検知構成を示したが、これに限らず、水密構造を有する他の撮像用の電子機器であっても、本実施の形態が適用可能であるということは勿論である。
【図面の簡単な説明】
【００６２】
【図１】本実施の形態を示すカメラの外観を概略的に示す斜視図。
【図２】図１中のII-II線に沿うカメラの部分断面図。
【図３】図２の各リード線が電気的に接続される基板を示す部分平面図。
【図４】図２のスピーカシートが水圧による撓みにより検出切片を変位させて検出切片をスピーカケーシングに接触させた状態を示す部分断面図。
【図５】図２の検出切片及びスピーカをVの方向からみた平面図。
【図６】図１のカメラに設けられたモニタの表示例を示す図。
【図７】図１のカメラにおける水没検知のための電気回路の構成の概略を示すブロック図。
【図８】図７のＣＰＵによるカメラの水没検知方法及び検知後の制御方法を示すサブルーチンであるフローチャート。
【符号の説明】
【００６３】
１…カメラ（カメラ本体）
７…開口
８…スピーカシート（防水シート）
９…外装部材
１２…検出切片（スイッチ片）
１３…第１のリード線
１５ａ…スピーカ本体
１５ｂ…スピーカケーシング（スピーカの外表面）
１５ｂｈ…孔
１６…スピーカ（内容物）
２０…第２のリード線
１００…ＣＰＵ（制御部）
１０２…メモリ（記憶部）
【図１】
2009253540.tif 000003
【図２】
2009253540.tif 000004
【図３】
2009253540.tif 000005
【図４】
2009253540.tif 000006
【図５】
2009253540.tif 000007
【図６】
2009253540.tif 000008
【図７】
2009253540.tif 000009
【図８】
2009253540.tif 000010